(57)【要約】      （修正有）【課題】構造が簡単で丈夫で経済的な仕切付き折畳箱を提供する。【解決手段】折畳箱１００Ａは、単壁の側壁と二重壁の前後壁からなり、ブランクは長方形状の底面１の周囲に対向して側壁片２と前後壁片３が連設され、両壁片の端部に連設され４５度に折り畳まれて前後壁片３に貼着される折込片４を設け、保管時は左右の側壁を内側へ折り畳んで底面１に重ねて扁平状態とし、使用時は左右の側壁を起こすことにより連動して前後壁が立設するようにしたもので、該前後壁は、該前後壁片３に連設された内壁片５を内側へ折り込んで、該内壁片５に突設された係止片５ｂを底面１に設けた係止溝１ａに嵌合させて組み立てられる。側壁片２、２の上端中央には指の掛る切欠部２ａが設けられており、組立時の側壁を起こす作業が容易である。【選択図】図２
0003210971.tif 000002
【実用新案登録請求の範囲】
【請求項１】
一枚の段ボールを折り上げて作られる上方が開放された折畳箱と、該折畳箱に挿嵌され
た多数の矩形状に区画する段ボール製の仕切とからなり、該折畳箱は、単壁の側壁と二重
壁の前後壁からなり、長方形状の底面の周囲に対向して側壁片と前後壁片が連設され、両
壁片の端部に連設され４５度に折り畳まれて前後壁片に貼着される折込片を設け、保管時
は左右の側壁を内側へ折り畳んで底面に重ねて扁平とし、使用時は左右の側壁を起こすこ
とにより連動して前後壁が立設するものであって、該前後壁は、該前後壁片に連設された
内側壁片を内側へ折り込んで、該内側壁片に突設された係止片を底面に設けた係止溝に嵌
合させて組み立てられ、該折畳箱の側壁片の上端中央に指が掛る切欠部を設けたことを特徴とする仕切付き折畳箱。
【請求項２】
前記前後壁は、ほぼ中央に楕円状に切り抜かれた把手を備え、前記折込片は、４５度の傾斜折り目の途中から側壁と直角方向に水平な切れ目を設けて該前後壁片の把手の上側を中央へ伸びる帯状に形成して貼着されたことを特徴とする請求項１に記載の仕切付き折畳箱。
【請求項３】
前記折畳箱に挿嵌される仕切は、嵌合溝を形成した帯状の縦仕切に複数の横仕切を十字状に組み合わせ、かつ、横仕切が縦仕切に連結されたまま扁平に折り畳み可能に組み立てられたことを特徴とする請求項１または請求項２に記載の仕切付き折畳箱。
【考案の詳細な説明】
【技術分野】
【０００１】
本考案は保管時は扁平に折り畳まれた状態とし、使用時に簡便に組み立てられる段ボール製の仕切付き折畳箱に関するものである。
【背景技術】
【０００２】
自動車部品など多数の小型部品の輸送には、複数の区画を有する仕切を嵌挿した段ボール箱が使用されている。
この仕切付き段ボール箱は組み上がった状態で包装作業の現場に保管すれば、包装作業を効率よく行えるが、大きな収納スペースを必要とする。また、仕切および箱をブランクの状態で保管して包装現場で組み立てるようにするのは、収納スペースは少くて済むが組み立てに時間がかかる。
そこで、段ボール箱および仕切は、保管時は扁平に折り畳んだ状態とし、使用時にワンタッチで組み立てられる折畳箱が求められている。
【０００３】
上記の要望に応えた折畳箱は、種々の形式のものが開発されているが、実用的なものとして、底面に側壁片と前後壁片を対向させて連設し、側壁片と前後壁片に連設された４５度に折り込める折込片を備え、該折込片の前後壁側を前後壁片へ貼着したもの（例えば、特許文献１参照）がある。また、折り畳める仕切としては、縦仕切に横仕切を係合させたまま扁平に畳むもの（特許文献２参照）がある。
【先行技術文献】
【特許文献】
【０００４】
【特許文献１】実開昭５９−１０６８２５号
【特許文献２】実開平７−００４３１８号
【考案の開示】
【考案が解決しようとする課題】
【０００５】
特許文献１の折畳箱５００は、図７に示すように、上面が開放され、底面１の四方に単壁の側壁２Ａと二重壁の前後壁３Ａが対向して立設されている。そして、側壁２Ａと前後壁３Ａとに連設された折込片４を４５度に折り畳んで前後壁片３に貼着し、前後壁片３に連設された内壁片５を内側へ折り畳み接着テープ１１で固着することにより組立てられている。
なお、折畳箱５００の保管時は、前後壁３Ａの内壁片５を拡げ、側壁２Ａを折り畳んで底面１へ重ね、扁平状態にしている。
【０００６】
特許文献１の折畳箱５００は、簡素な構造であり、しかも簡単に組み立てることができるが、次のような問題がある。
まず、側壁２Ａの高さが一定以上高いものでは、折り畳んだとき、左右の側壁２Ａの上端が近接した状態となり、組み立てる場合に側壁２Ａの上端部に指が掛からず、組み立てに手間取ってしまう。また、内壁片５は接着テープ１１で固定しているが、予め付着しておくと保管時に劣化し易いし、組立時に付着するのでは組立時間が増加する。
また、前後壁３Ａの中央上部に把手３ａが設けられているが、前後壁３Ａの外側壁片３にのみ形成されているので持ち上げづらく、品物の重量が少し重いと破損し易い。
【０００７】
特許文献２の仕切は、図示していないが、下方に開く２つ折りの厚紙からなる横仕切部材と縦仕切部材を、直角方向に配置してそれぞれに形成した嵌合溝同士を嵌合させたものである。横仕切部材と縦仕切部材を嵌合した状態では、簡単には外れ難い構造であり、しかも扁平に折り畳みできる。
この仕切は十分満足できるものであるが、厚紙を２つ折りにして使用しており、加工が多く費用が嵩むという難点がある。
【０００８】
本考案は、従来品のこのような問題を簡便な構造で解決し、丈夫で経済的な仕切付き折畳箱を提供することを目的としている。
【課題を解決するための手段】
【０００９】
上記の目的を達成するため、本考案の仕切付き折畳箱は、次のように構成した。すなわち、一枚の段ボールを折り上げて作られる上方が開放された折畳箱と、該折畳箱に挿嵌された多数の矩形状に区画する段ボール製の仕切とからなり、該折畳箱は、単壁の側壁と二重壁の前後壁からなり、長方形状の底面の周囲に対向して側壁片と前後壁片が連設され、両壁片の端部に連設され４５度に折り畳まれて前後壁片に貼着される折込片を設け、保管時は左右の側壁を内側へ折り畳んで底面に重ねて扁平とし、使用時は左右の側壁を起こすことにより連動して前後壁が立設するものであって、該前後壁は、該前後壁片に連設された内側壁片を内側へ折り込んで、該内側壁片に突設された係止片を底面に設けた係止溝に嵌合させて組み立てられ、該折畳箱の側壁片の上端中央に指が掛る切欠部を設けたことを特徴としている。
【００１０】
この仕切付き折畳箱は、多数の部品などを仕切で個別に収納するもので、保管時は扁平に折り畳まれ、使用時に短時間に簡便に組み立てられる。箱も仕切も段ボール製である。
箱の大きさは特に限定しないが、部品などを収納して１人で持ち上げることができる重量にするのが望ましい。また、側壁の高さは、左右の側壁を底面に重ねるように折り畳んだとき、両側壁片が重ならず、できれば近接する高さにするのが望ましい。
側壁片の上端中央に設ける切欠部は、側壁を起こしやすくするためのもので、指が掛かればよく大きさや形状は特に問わない。
【００１１】
折込片は、側壁片と前後壁片に連設された正方形で底面の四隅の点から４５度に折り畳むもので、前後壁片に連設された側を前後壁片に貼着する。
この折込片は、４５度に折り畳まれるだけのものでもよいが、請求項２に記載のように、４５度の傾斜折り目の途中から側壁と直角方向に水平な切れ目を設けて該前後壁片の把手の上側を中央へ伸びる帯状に形成するとよい。なお、この帯状は前後壁片の中央で近接するのが望ましい。
一方、折畳箱に挿嵌される仕切は、組立てられた状態で扁平に折り畳めるものであれば、形状・構造は特に限定しないが、請求項３に記載のように、嵌合溝を形成した帯状の縦仕切に複数の横仕切を十字状に組み合わせ、かつ、横仕切が縦仕切に連結されたまま扁平に折り畳み可能に組み立てられたものとするのが望ましい。なお、十字状に組み合わせた状態では簡単に分離しないように嵌合溝に係止手段を設けるとよい。
【考案の効果】
【００１２】
本考案の仕切付き折畳箱は、単壁の側壁片と二重壁の前後壁片とが折込片によって連結され、該折込片は４５度の折り目を備え前後壁片側は前後片に貼着され、該前後壁は、該前後壁片に連設された内側壁片を内側へ折り込んで、該内側壁片に突設された係止片を底面に設けた係止溝に嵌合させて組み立てられ、該折畳箱の側壁片の上端中央に指が掛る切欠部を設けたので、折畳箱を組み立てる際に側壁を簡便に起こすことができる。また、前後壁は、従来のように、接着テープを使用しないので、煩わしさがない。
また、請求項２に記載のように、前後壁は、ほぼ中央に楕円状に切り抜かれた把手を備え、折込片は、４５度の傾斜折り目の途中から側壁と直角方向に水平な切れ目を設けて該前後壁片の把手の上側を中央へ伸びる帯状に形成して貼着したものにすれば、把手の上部が丈夫になり、かなり重量のあるものを収納しても破損することはない。
また、折畳箱に挿嵌される仕切を請求項３に記載のように、嵌合溝を形成した帯状の段ボール製の縦仕切に複数の段ボール製の横仕切を十字状に組み合わせ、かつ、横仕切が縦仕切に連結されたまま扁平に折り畳み可能に組み立てられたものにすれば、安価で丈夫なものとすることができる。
【図面の簡単な説明】
【００１３】
【図１】本考案の仕切付き折畳箱３００の実施の形態を示す全体斜視図である。
【図２】折畳箱１００の展開図で、段ボール１００Ａである。
【図３】折畳箱１００を折り畳んだ状態を示す平面図である。
【図４】折畳箱１００を組み立てる作業の途中状態を示す斜視図である。
【図５】仕切２００の構成部品を示す平面図で、（ａ）は縦仕切、（ｂ）は横仕切である。
【図６】組み立てた仕切２００を扁平に折り畳んだ状態を示す斜視図である。
【図７】従来の折畳箱５００の組立時の途中の状態を示す斜視図である。
【考案を実施するための最良の形態】
【００１４】
本考案の仕切付き折畳箱の実施の形態を、図１〜図６に基づいて説明する。
図１は仕切付き折畳箱３００の全体斜視図で、上方が開放された折畳箱１００内に仕切２００が挿嵌されている。
図２は、折畳箱１００の展開図で、段ボール１００Ａである。図３は、折畳箱１００を扁平に折り畳んだ状態を示す平面図、図４は折畳箱１００を組み立てる途中の状態を示す斜視図である。また、図５は、仕切２００の構成部材である縦仕切と横仕切の詳細を示す平面図で、図６は、組み立てた仕切２００を扁平に折り畳んだ状態を示す斜視図である。
【００１５】
仕切付き折畳箱３００は、上方が開放されたトレー状の折畳箱１００内に多数の矩形状に仕切るための仕切２００が嵌挿されている。なお、折畳箱１００Ａの大きさは、ここでは、３００ｍｍ×２７５ｍｍ×１３５ｍｍ（高さ）としている。
【００１６】
折畳箱１００は、図１に示すように、底面１の四方に単壁の側壁２Ａと、二重壁の前後壁３Ａが立設された直方体で、上部は開放されている。そして、側壁２Ａの上端中央には切欠部２ａが形成され、前後壁３Ａのほぼ中央には、楕円状に切り抜かれた把手３ａ、５ａが設けられている。
【００１７】
この折畳箱１００は、図２に示した一枚の段ボール１００Ａを、折り目に沿って折り曲げることによって、作られる。
段ボール１００Ａは左右方向の折り目Ａと前後方向の折り目Ｂによって囲まれた中央部を占める矩形域を底面１とし、折り目Ａの外側に側壁２Ａとなる側壁片２、２を連設し、折り目Ｂの外側に前後壁３Ａとなる前後壁片３、３を連設している。そして、前後壁片３，３の外側に二重折り目Ｄを介して内壁片５が連設されている。内壁片５の外側端中央部には、組立時に底面１に設けた係止溝１ａに嵌合する係止片５ｂが設けられている。また、側壁片２，２の上端中央には組立時指を掛けるための切欠部２ａが形成され、前後壁片３および内壁片５の中央部には把手３ａ、５ａが設けられている。
【００１８】
一方、図２において、側壁片２の左右端と、前後壁片３の上下端とに連設された略正方形状の折込片４が設けられており、折り目Ａと折り目Ｂの交点（底面１の四隅の点）から４５度の傾斜折り目Ｅが中央よりやや上の位置（把手３ａの外側）まで設けられ、そこから外側（折り目Ａに対して垂直方向）へ直線の切れ目ａが設けられている。
折込片４は、折り目Ｅおよび切れ目ａによって前後側壁片３に連設された貼着片４ａと、側壁片２に連設された連結片４ｂに分けられる。
【００１９】
次に、段ボール１００Ａを折畳箱１００へ折り上げる作業について説明する。
まず、折り目Ａ、折り目Ｂ、二重折り目Ｄを谷折りし、傾斜折り目Ｅを山折りして折り目を付ける。
次に、貼着片４ａに糊を付けて前後壁片３に貼着する。そして、側壁片２を折り畳んで底面１へ重ねると図３の状態となる。この実施の形態では、側壁片２を折り畳んだときは、側壁片２の上端が互いに近接した状態となるようにしている。折畳箱１００を保管する場合は、図３の状態か、さらに内壁片５を内側へ折り畳んだ状態とする。
【００２０】
折り畳み状態の折畳箱１００を組み立てる場合は、図３の状態で側壁片２の上端中央の切欠部２ａに指を掛け、側壁片２を立ち上げる。これにより、自動的に前後壁片３も起き上がる（図４の状態）。そして、内壁片５を二重折り目Ｄから内側へ折り曲げて係止片５ａを底面１の係止溝１ａへ嵌合する。これだけの簡単な作業で、折畳箱１００は組み立てられる。
【００２１】
次に、仕切２００について説明する。図１に示すように、仕切２００は、１枚の縦仕切６に４枚の横仕切７を十字状に組み合わせたものである。
縦仕切６は、図５（ａ）に示すように、帯状の段ボールで上から中央部まで縦の嵌合溝６ａが４個平行に形成され、その上端部は、溝部６ａへ突出する係止部６ｂが形成され、その対向には傾斜した案内部６ｃが形成されている。また、縦仕切６の四隅は面取り６ｅが施されている。
横仕切７は、図５（ｂ）に示すように、縦仕切６と同じ幅の帯状の段ボールで、中央に下から中央部まで縦の嵌合溝７ａが形成され、その下端部は下方へ広がる案内部７ｂが形成されている。そして、上端中央部には凹部７ｃが形成されている。
【００２２】
仕切２００の組立は、縦仕切６の４個の嵌合溝６ａそれぞれに横仕切７を十字状にして嵌合溝７ａを係合させて押し込むだけでよい。これにより横仕切７の凹部７ｃに縦仕切６の係止部６ｂが係止し、仕切２００を持ち上げても横仕切７は縦仕切６から外れない。
また、横仕切７の凹部７ｃは幅広なので、仕切２００は、無理なく扁平に折りたたむことができる（図６参照）。
なお、仕切２００は、折畳箱１００に挿嵌する場合、横仕切７が縦仕切６から離脱することはないので、天地逆方向に挿嵌してもよい。また、縦仕切６の四隅は面取り６ｅが施されており、仕切２００を折畳箱１００へ嵌挿するとき、角が把手３ａ、５ａにぶつかって挿嵌できにくいのを防止している。
【００２３】
なお、上記の実施の形態においては、仕切２００を１枚の縦仕切に４枚の横仕切を組み合わせたもので説明したが、本考案はこれに限るものではなく、複数の縦仕切と横仕切を用いて格子状に組み合わせたものでもよい。
また、考案の内容をより理解しやすくするために、折畳箱の大きさを寸法を示して説明したが、これに限定するものでないことは勿論である。
【符号の説明】
【００２４】
１００  段ボール
１００Ａ  折畳箱
２００  仕切
３００  仕切付き折畳箱
５００  折畳箱
１  底面
１ａ  係止溝
２Ａ  側壁
２  側壁片
２ａ  切欠部
３Ａ  前後壁
３  前後壁片
３ａ  把手
４  折込片
４ａ  貼着片
４ｂ  連結片
５  内壁片
５ａ  把手
５ｂ  係止片
６  縦仕切
６ａ  嵌合溝
６ｂ  係止部
６ｃ  案内部
６ｅ  面取部
７  横仕切
７ａ  嵌合溝
７ｂ  案内部
７ｃ  凹部
１１  粘着テープ
１２  粘着テープ
Ａ、Ｂ  折り目
Ｄ  二重折り目
Ｅ  傾斜折り目 
ａ  切れ目
【図１】
0003210971.tif 000003
【図２】
0003210971.tif 000004
【図３】
0003210971.tif 000005
【図４】
0003210971.tif 000006
【図５】
0003210971.tif 000007
【図６】
0003210971.tif 000008
【図７】
0003210971.tif 000009